(57)【特許請求の範囲】
【請求項１】
一次元又は二次元のコードを読み取るコード読取部を有するコード読取端末と、前記コード読取端末に着脱可能な情報端末とを備えるコード読取システムであって、
前記情報端末は、タッチパネルと、前記タッチパネルの操作に応じて前記コード読取端末に読取指示を送信する送信処理部と、前記コード読取端末で読み取られる情報に基づいて情報処理を実行する情報処理部とを備え、
前記コード読取端末は、読取操作部と、前記読取操作部が操作された場合及び前記読取指示を受信した場合にそれぞれ前記コード読取部による前記コードの読取処理を開始する読取処理部とを備え、
前記送信処理部は、前記タッチパネルに対応する表示部に表示される表示画面のうち予め定められた読取指示領域の操作に応じて前記読取指示を前記コード読取端末に送信するものであり、
前記読取指示領域は、前記表示画面のうち前記読取指示とは異なる操作機能が割り当てられた他機能割当領域を除く一部又は全部の領域であるコード読取システム。
【請求項２】
前記読取操作部は、前記情報端末が前記コード読取端末に装着された状態で前記タッチパネルの側方に位置する前記コード読取端末の外周面に設けられている請求項１に記載のコード読取システム。
【請求項３】
前記読取指示領域は、前記表示画面の種類ごとに予め定められている請求項１又は２に記載のコード読取システム。
【請求項４】
前記読取指示領域は、前記表示画面のうち文字及び画像が表示されていない余白領域を含む請求項１〜３のいずれかに記載のコード読取システム。
【請求項５】
前記読取指示領域は、前記表示画面のうち前記読取指示を示唆しない他の文字が表示され、前記読取指示を示唆する文字が表示されていない他表示領域を含む請求項１〜４のいずれかに記載のコード読取システム。
【請求項６】
前記読取指示領域は、前記表示画面における上下左右の少なくとも一つの内周縁部の領域を含む請求項５に記載のコード読取システム。
【請求項７】
前記コード読取部は、光源を発光させたときに受光する反射光に基づいて前記コードを読み取るものであり、
前記読取処理部は、前記読取操作部が操作された場合及び前記読取指示を受信した場合にそれぞれ前記光源の発光を開始する請求項１〜６のいずれかに記載のコード読取システム。
【請求項８】
前記情報処理部は、前記コード読取端末で読み取られる薬品識別情報と処方データとを照合する照合処理を実行するものである請求項１〜７のいずれかに記載のコード読取システム。
【請求項９】
前記情報端末が前記コード読取端末に装着される際に前記情報端末及び前記コード読取端末を通信可能に接続するコネクタが前記情報端末及び前記コード読取端末各々に設けられ、
前記送信処理部は、前記情報端末が前記コード読取端末に装着された状態で前記コネクタを介して前記読取指示を送信する請求項１〜８のいずれかに記載のコード読取システム
。
【請求項１０】
前記情報端末及び前記コード読取端末各々が電源を備え、
前記情報端末及び前記コード読取端末の少なくとも一方の前記電源が他方に電力を供給可能であることが考えられる請求項１〜９のいずれかに記載のコード読取システム。
【請求項１１】
一次元又は二次元のコードを読み取るコード読取部を有するコード読取端末に着脱可能な情報端末であって、
タッチパネルと、前記タッチパネルの操作に応じて前記コード読取端末に読取指示を送信する送信処理部と、前記コード読取端末で読み取られる情報に基づいて情報処理を実行する情報処理部とを備え、
前記送信処理部は、前記タッチパネルに対応する表示部に表示される表示画面のうち予め定められた読取指示領域の操作に応じて前記読取指示を前記コード読取端末に送信するものであり、
前記読取指示領域は、前記表示画面のうち前記読取指示とは異なる操作機能が割り当てられた他機能割当領域を除く一部又は全部の領域である情報端末。
【発明の詳細な説明】
【技術分野】
【０００１】
本発明は、一次元又は二次元のコードを読み取り可能なコード読取システム及びこれに用いられる情報端末に関する。
【背景技術】
【０００２】
一般に、バーコード及びＱＲコード（登録商標）のような一次元又は二次元のコードを読み取ることが可能なコード読取端末が知られている。例えば、コード読取端末は、薬剤師などのユーザーがコード化された薬品識別情報を読み取る際に用いられる。また、コード読取端末が、読み取られた薬品識別情報と処方データとを照合する照合処理を実行する機能を有することもある（例えば特許文献１参照）。
【先行技術文献】
【特許文献】
【０００３】
【特許文献１】特開２００３−２８４７６０号公報
【発明の概要】
【発明が解決しようとする課題】
【０００４】
一方、近年では、ＰＤＡ、スマートフォン、タブレット端末などのような情報端末が、コードを読み取るコード読取機能を有することがある。このような情報端末では、例えば前記照合処理などの情報処理を実行することも可能である。但し、情報端末は、コード読取端末のようにコード読取機能を実現する専用端末ではなく、他の処理機能を備えるものである。そのため、例えばコードの読み取りの高速化又は多種類のバーコードの読み取りがコード読取端末に比べて困難である。そこで、コード読取端末に情報端末が着脱可能であり、コード読取端末により読み取られる情報を情報端末で処理することが考えられる。
【０００５】
ところで、コード読取端末を常にコードが読み取り可能な状態にすることは省電力などの観点から好ましくない。そのため、ユーザーによる読取操作に応じてコード読取端末を読み取り可能な状態に遷移させることが考えられる。例えば、コード読取装置では、ユーザーによる読取操作が行われた場合に、コード読取装置に設けられた光源を発光させ、そのときに受光する反射光に基づいて前記コードを読み取る読取処理が実行されることが考えられる。
【０００６】
しかしながら、情報端末が装着されて用いられるコード読取端末において、読取処理を開始させるための読取操作部がコード読取端末に設けられている場合には、ユーザーの操作性に問題が生じることがある。例えば、ユーザーが情報端末のタッチパネルの操作を行っている途中で読取操作部を操作する必要が生じた際は、ユーザーはタッチパネルの操作を一旦止めて、コード読取端末の読取操作部を操作することになり、操作性に問題が生じる。また、ユーザーが片手でコード読取端末を持って情報端末のタッチパネルの操作を行っている途中で読取操作部を操作するためには、コード読取端末の持ち方を変えるなどの手間が生じることがある。
【０００７】
本発明の目的は、読取操作の操作性が高いコード読取システム及びこれに用いられる情報端末を提供することにある。
【課題を解決するための手段】
【０００８】
本発明に係るコード読取システムは、一次元又は二次元のコードを読み取るコード読取部を有するコード読取端末と、前記コード読取端末に着脱可能な情報端末とを備えるコード読取システムである。そして、前記情報端末は、タッチパネルと、前記タッチパネルの操作に応じて前記コード読取端末に読取指示を送信する送信処理部と、前記コード読取端末で読み取られる情報に基づいて情報処理を実行する情報処理部とを備える。また、前記コード読取端末は、読取操作部と、前記読取操作部が操作された場合及び前記読取指示を受信した場合にそれぞれ前記コード読取部による前記コードの読取処理を開始する読取処理部とを備える。
【０００９】
本発明によれば、ユーザーは、前記読取操作部だけでなく、前記タッチパネルを操作することによっても、前記読取処理を開始させることができるため、読取操作の操作性の高いコード読取システムが提供される。例えば、ユーザーが片手で前記コード読取端末を持って前記情報端末の前記タッチパネルの操作を行っている途中であっても、前記コード読取端末の持ち方を変えるなどの手間を要しない。
【００１０】
前記読取操作部は、前記情報端末が前記コード読取端末に装着された状態で前記タッチパネルの側方に位置する前記コード読取端末の外周面に設けられている。このような構成では、前記コード読取端末を操作するユーザーから見て前記タッチパネルの正面側と右側面側又は左側面側とを含む複数の方向から操作することができ、高い操作性が実現される。
【００１１】
前記送信処理部は、前記タッチパネルに対応する表示部に表示される表示画面のうち予め定められた読取指示領域の操作に応じて前記読取指示を前記コード読取端末に送信するものであることが考えられる。ここで、前記読取指示領域は、前記表示画面のうち前記読取指示とは異なる操作機能が割り当てられた他機能割当領域を除く一部又は全部の領域である。これにより、本来は前記タッチパネルの操作キーとして使用されていない領域が前記読取指示を行うために使用されるため、前記表示部の他の表示内容の表示サイズを圧迫することがない。
【００１２】
前記読取指示領域は、前記表示画面の種類ごとに予め定められていることが考えられる。これにより、前記表示画面の種類ごとに前記読取指示領域を変化させることができるため、前記表示画面各々において予め定められた位置に前記読取指示領域が配置される場合に比べて前記表示画面各々の画面構成の自由度が高まる。
【００１３】
前記読取指示領域は、前記表示画面のうち文字及び画像が表示されていない余白領域を含むことが考えられる。これにより、本来は余白領域を有効利用することができる。
【００１４】
前記読取指示領域は、前記表示画面のうち前記読取指示を示唆しない他の文字が表示され、前記読取指示を示唆する文字が表示されていない他表示領域を含むことが考えられる。これにより、本来は文字による情報が表示されるだけの領域を有効利用することができる。
【００１５】
前記読取指示領域は、前記表示画面における上下左右の少なくとも一つの内周縁部の領域を含むことが考えられる。これにより、前記表示画面における表示内容に影響の小さい領域を有効利用することができる。
【００１６】
前記コード読取部は、光源を発光させたときに受光する反射光に基づいて前記コードを読み取るものであることが考えられる。この場合、前記読取処理部は、前記読取操作部が操作された場合及び前記読取指示を受信した場合にそれぞれ前記光源の発光を開始することが考えられる。これにより、前記読取操作部が操作されていない場合又は前記読取指示を受信していない場合は、前記光源を消灯させることができるため省電力化が図られる。
【００１７】
具体的に、前記情報処理部は、前記コード読取端末で読み取られる薬品識別情報と処方データとを照合する照合処理を実行することが考えられる。これにより、前記処方データに基づいて薬品を調剤する薬剤師等のユーザーは、操作性の高い前記コード読取システムを用いてその調剤作業を効率良く行うことができる。
【００１８】
また、前記情報端末が前記コード読取端末に装着される際に前記情報端末及び前記コード読取端末を通信可能に接続するコネクタが前記情報端末及び前記コード読取端末各々に設けられることが考えられる。ここで、前記送信処理部は、前記情報端末が前記コード読取端末に装着された状態で前記コネクタを介して前記読取指示を送信することが考えられる。
【００１９】
また、前記情報端末及び前記コード読取端末各々が電源を備え、前記情報端末及び前記コード読取端末の少なくとも一方の前記電源が他方に電力を供給可能であることが考えられる。これにより、前記情報端末及び前記コード読取端末の少なくとも一方の前記電源により他方に駆動電力を補うことが可能となる。
【００２０】
また、本発明は、一次元又は二次元のコードを読み取るコード読取部を有するコード読取端末に着脱可能な情報端末として捉えることが可能である。具体的に、前記情報端末は、タッチパネルと、前記タッチパネルの操作に応じて前記コード読取端末に読取指示を送信する送信処理部と、前記コード読取端末で読み取られる情報に基づいて情報処理を実行する情報処理部とを備える。
【００２１】
また、前記送信処理部は、前記タッチパネルに対応する表示部に表示される表示画面のうち予め定められた読取指示領域の操作に応じて前記読取指示を前記コード読取端末に送信するものであることが考えられる。ここで、前記読取指示領域は、前記表示画面のうち前記読取指示とは異なる操作機能が割り当てられた他機能割当領域を除く一部又は全部の領域である。
【発明の効果】
【００２２】
本発明によれば、読取操作の操作性が高いコード読取システム及びこれに用いられる情報端末を提供することができる。
【図面の簡単な説明】
【００２３】
【図１】図１は、本発明の実施形態に係るコード読取システムの構成を示すブロック図である。
【図２】図２は、本発明の実施形態に係るコード読取システムの構成を示す外観模式図である。
【図３】図３は、本発明の実施形態に係るコード読取システムの構成を示す分解模式図である。
【図４】図４は、本発明の実施形態に係るコード読取システムの構成を示すシステム構成図である。
【図５】図５は、本発明の実施形態に係るコード読取システムの情報端末で実行される操作制御処理の手順の一例を示すフローチャートである。
【図６】図６は、本発明の実施形態に係るコード読取システムのコード読取端末で実行される読取制御処理の手順の一例を示すフローチャートである。
【図７】図７は、本発明の実施形態に係るコード読取システムの情報端末で実行される調剤支援処理の手順の一例を示すフローチャートである。
【図８】図８は、本発明の実施形態に係るコード読取システムの情報端末の表示画面の一例を示す図である。
【図９】図９は、本発明の実施形態に係るコード読取システムの情報端末の表示画面の一例を示す図である。
【図１０】図１０は、本発明の実施形態に係るコード読取システムの情報端末の表示画面の一例を示す図である。
【図１１】図１１は、本発明の実施形態に係るコード読取システムの情報の表示画面の一例を示す図である。
【発明を実施するための形態】
【００２４】
以下添付図面を参照しながら、本発明の実施形態について説明し、本発明の理解に供する。なお、以下の実施形態は、本発明を具体化した一例であって、本発明の技術的範囲を限定する性格のものではない。
【００２５】
［調剤支援システム１］
ここに、図１は、本発明の実施形態に係る調剤支援システム１の概略構成を示すブロック図である。図１に示されるように、前記調剤支援システム１は、サーバー２と一又は複数のコード読取システム３とを備える。前記コード読取システム３は、例えば病院、老健施設、又は薬局などの医療機関で薬剤師等の医療従事者によって使用される。
【００２６】
前記サーバー２及び前記コード読取システム３は、例えばＬＡＮ又はインターネットなどの通信網Ｎ１を介して接続される。また、前記サーバー２及び前記コード読取システム３は、無線ＬＡＮ規格、又はＢｌｕｅｔｏｏｔｈ（登録商標）などの近距離無線通信規格に従って直接通信可能であってもよい。なお、前記サーバー２には、医師等が処方データを登録するために使用する電子カルテシステム、オーダーリングシステム、又はレセプトシステムなどの上位システム６が前記通信網Ｎ１を介して接続される。前記処方データには、例えば患者の氏名、性別、年齢、病棟、担当医師、担当薬剤師などの基本情報、及び患者の処方薬の種類、用量、用法などの薬品情報が含まれる。
【００２７】
前記サーバー２は、前記上位システム６から前記処方データを取得し、必要に応じて前記処方データを前記コード読取システム３に入力する。例えば、前記サーバー２は、前記上位システム６の予め設定された記憶装置内の処方データ記憶領域に前記処方データが記憶されたか否かを監視しており、前記処方データ記憶領域に前記処方データが記憶された場合に前記処方データを取得する。そして、前記サーバー２は、前記コード読取システム３から前記処方データを識別するための処方ＩＤを受信した場合に、前記処方ＩＤに対応する前記処方データを前記コード読取システム３に送信する。また、前記サーバー２が、前記処方データに含まれる処方薬のうち薬剤師の手動で調剤が行われる薬品として予め登録されている処方薬のデータを前記コード読取システム３に自動送信することも考えられる。なお、前記上位システム６に登録された前記処方データ各々が、前記上位システム６から前記コード読取システム３に送信されることも考えられる。
【００２８】
［コード読取システム３］
次に、図２〜図４を参照しつつ、前記コード読取システム３について説明する。なお、図２は、前記コード読取システム３の外観図、図３は、前記コード読取システム３の分解模式図、図４は、前記コード読取システム３のシステム構成図である。以下の説明では、図２及び図３において定義されている前後及び左右の方向を用いることがある。
【００２９】
前記コード読取システム３は、情報端末４及びコード読取端末５を備える。前記情報端末４は、前記コード読取端末５に着脱可能であり、前記コード読取端末５には、前記情報端末４を装着するための被装着部５０が設けられている。なお、本実施形態では、前記コード読取システム３が前記医療機関で使用される場合を例に挙げて説明するが、前記コード読取システム３は、例えば物流過程などの他の用途で使用されることも考えられる。
【００３０】
前記情報端末４及び前記コード読取端末５には、相互に連結可能なコネクタ４７及びコネクタ５５が設けられている。そして、前記情報端末４が前記コード読取端末５に装着される際に、前記コネクタ４７及び前記コネクタ５５が接続されることにより、前記情報端末４及び前記コード読取端末５の間のデータ送受信が可能となる。なお、前記被装着部５０は、前記コネクタ５５を前記情報端末４の前記コネクタ４７に挿入した後、前記情報端末４を収容可能な弾性を有する。
【００３１】
そして、前記コード読取システム３は、薬剤師が前記処方データに基づいて薬品を薬品棚、薬品箱又は薬瓶などから取り出して調剤する所謂ピッキング作業を行う際に用いられる。より具体的に、前記コード読取システム３は、薬品を識別するための薬品識別情報を、前記薬品棚、前記薬品箱又は前記薬瓶などに付されたコードから読み取り、前記処方データと照合するために用いられる。前記コードは、バーコードのような一次元又はＱＲコード（登録商標）のような二次元のコードである。また、前記バーコードには、例えばＪＡＮコード規格、ＧＳ１コード規格、及びＮＷ−７規格などで規定されたコードが含まれる。また、前記コードには、１次元コードと２次元コードとが上下二段に配置されたコンポジット付のＧＳ１コードなどの複合コードも含まれる。前記コード読取システム３では、前記コードを読み取る専用端末である前記コード読取端末５を用いているため、このような多種類のコードの読み取りが可能である。
【００３２】
［情報端末４］
前記情報端末４は、制御部４１、記憶部４２、表示部４３、タッチパネル４４、通信Ｉ／Ｆ４５、及び蓄電池４６を備える。前記情報端末４は、例えばＰＤＡ、スマートフォン、タブレット端末、又はメディアプレーヤーなどのモバイル端末である。具体的に、前記情報端末４は、メーカー独自のＯＳによって動作が制御されるｉＰｏｄ  Ｔｏｕｃｈ（登録商標）又はｉＰｈｏｎｅ（登録商標）などであることが考えられる。
【００３３】
前記表示部４３は、前記制御部４１からの制御指示に従って各種の情報を表示する液晶ディスプレイ又は有機ＥＬディスプレイなどである。前記タッチパネル４４は、前記表示部４３に積層して設けられ、前記表示部４３に表示される各種の表示画面に対する指又はタッチペンを用いたタッチ操作を受け付ける。具体的に、前記タッチパネル４４は、前記タッチ操作の位置座標を検出し、前記位置座標を前記制御部４１に入力する。これにより、前記制御部４１では、例えば前記表示画面各々における前記位置座標と操作内容との対応関係を示す操作対応情報などに基づいて操作内容を特定することが可能である。なお、前記操作対応情報は、前記制御部４１のＲＯＭ又は前記記憶部４２などに予め記憶されている。
【００３４】
前記通信Ｉ／Ｆ４５は、前記サーバー２などの外部機器との間で、予め定められた通信プロトコルに従って無線又は有線でデータ通信を実行することが可能な通信インターフェースである。例えば、前記通信Ｉ／Ｆ４５は、ＩＥＥＥ８０２．１１のような無線通信規格又はＢｌｕｅｔｏｏｔｈ（登録商標）のような近距離無線通信規格に従ってデータ通信を実行する。
【００３５】
前記蓄電池４６は、前記情報端末４に動作電力を供給する電源である。前記蓄電池４６は、不図示の充電器で充電される。また、前記蓄電池４６は、前記コネクタ４７及び前記コネクタ５５を介して前記コード読取端末５に電力を供給することも可能である。
【００３６】
前記制御部４１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。
【００３７】
前記記憶部４２は、前記制御部４１によって実行される制御プログラム、及び前記サーバー２から入力される前記処方データなどの各種のデータが記憶されるフラッシュメモリ等の不揮発性の記憶部である。
【００３８】
そして、前記制御部４１は、前記ＣＰＵを用いて、前記ＲＯＭ又は前記記憶部４２に予め記憶された各種の制御プログラムに従って各種の処理を実行する。例えば、前記制御部４１は、送信処理部４１１及び情報処理部４１２を含む。具体的に、前記制御部４１は、前記制御プログラムに従って各種の処理を実行することにより前記送信処理部４１１及び前記情報処理部４１２として機能する。
【００３９】
前記送信処理部４１１は、前記タッチパネル４４の操作に応じて前記コード読取端末５に、前記コードの読み取りを実行させるための読取指示を送信する。具体的に、前記送信処理部４１１は、前記表示部４３に表示される表示画面の種類ごとに予め定められた読取指示領域のタッチ操作が前記タッチパネル４４で検出された場合に、前記読取指示を前記コード読取端末５に送信する。前記読取指示領域は、前記表示画面のうち前記読取指示とは異なる操作機能が割り当てられた他機能割当領域を除く一部又は全部の領域である。特に、前記読取指示領域は、前記表示画面のうち文字及び画像が表示されていない余白領域を含むことが考えられる。さらに、前記読取指示領域は、前記表示画面のうち前記読取指示を示唆しない他の文字が表示され、前記読取指示を示唆する文字が表示されていない他表示領域を含むことが考えられる。前記読取指示領域は、前記表示画面各々に表示される固定のタッチキーではなく、前記表示画面各々において固定のタッチキーとして使用されていない領域である。なお、前記読取指示領域には、ユーザーに前記読取指示領域である旨を認識させるために、前記読取指示領域の背景に予め定められた着色が施されていることが考えられる。
【００４０】
前記情報処理部４１２は、前記コード読取端末５で読み取られる情報に基づいて情報処理を実行する。例えば、前記情報処理部４１２は、前記コード読取端末５で読み取られる薬品識別情報と前記処方データとを照合する照合処理を実行する。なお、前記照合処理は単なる一例に過ぎず、前記情報処理部４１２は、前記コード読取端末５で読み取られる前記コードが示す情報に基づいて他の処理を実行するものであってもよい。具体的に、前記情報処理部４１２は、後述の調剤支援処理（図７参照）におけるステップＳ３４２、Ｓ３５２、及びＳ３６２などにおいて、前記コードが示す情報に基づく情報処理を実行する。なお、前記情報処理部４１２によって実行される前記情報処理には、例えば前記コード読取端末５で前記コードから読み取られた情報を外部機器に送信する送信処理も含まれる。この場合には、前記外部機器において前記照合処理が実行されることが考えられる。
【００４１】
［コード読取端末５］
前記コード読取端末５は、制御部５１、読取操作部５２、コード読取部５３、及び蓄電池５４を備える。前記コード読取端末５は、前記コードを読み取るために使用される専用端末である。
【００４２】
前記蓄電池５４は、前記コード読取端末５に動作電力を供給する電源である。前記蓄電池５４は、不図示の充電器で充電される。また、前記蓄電池５４は、前記コネクタ４７及び前記コネクタ５５を介して前記情報読取端末４に電力を供給することも可能である。即ち、前記コード読取システム３では、前記携帯端末４及び前記コード読取端末５の間で前記蓄電池４６及び前記蓄電池５４が共用可能であり、前記蓄電池４６及び前記蓄電池５４の一方の残量が低下した場合でも動作が継続可能である。
【００４３】
前記コード読取部５３は、赤色の光源及び受光部を備え、前記光源を発光させたときに前記受光部が受光する反射光に基づいて前記コードを読み取ることが可能である。前記コード読取部５３では、前記光源からの光が前記コード読取端末５の背面側に設けられた出射窓から照射され、前記出射窓に入射する反射光が前記受光部で受光される。例えば、前記コードの読取方式には、前記光源としてＬＥＤアレイを用い、前記受光部としてＣＣＤを用いるリニアＣＣＤ式又は２Ｄイメージャ式などがある。また、前記コードの読取方式としては、他にレーザー式又は手動走査式なども考えられる。なお、前記光源は、赤外線などの不可視光線であってもよいが、赤色などの可視光線を照射するものであることが望ましい。これにより、ユーザーは、前記可視光線の位置を前記コードに合わせることにより容易に前記コード読取端末５に前記コードを読み取らせることができる。また、例えば前記情報端末４に設けられるカメラ等の撮像部で捉えられる画像又は映像から前記コードを抽出して読み取る構成では、前記画像又は前記映像が前記情報端末４に表示されることになる。これに対し、前記コード読取システム３では、前記画像又は前記映像が前記情報端末４に表示される必要がないため、前記コード読み取り時に前記携帯端末４において他の情報を表示することが可能な領域が広くなる。
【００４４】
前記読取操作部５２は、ユーザーによる押下操作に応じて前記制御部５１に押下信号を入力する。ここに、前記読取操作部５２は、前記情報端末４が前記コード読取端末５に装着された状態で前記タッチパネル４４の側方に位置する前記コード読取端末５の外周面に設けられている。具体的に、前記コード読取端末５では、図３に示されているように前記コード読取装置５の左右両側面に前記読取操作部５２が設けられている。なお、前記コード読取装置５の左側面又は右側面の一方に前記読取操作部５２が設けられていてもよい。
【００４５】
前記制御部５１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。
【００４６】
そして、前記制御部５１は、前記ＣＰＵを用いて、前記ＲＯＭ又は前記ＥＥＰＲＯＭに予め記憶された制御プログラムに従って各種の処理を実行する。例えば、前記制御部５１は、読取処理部５１１を含む。具体的に、前記制御部５１は、前記制御プログラムに従って各種の処理を実行することにより前記読取処理部５１１として機能する。
【００４７】
前記読取処理部５１１は、前記読取操作部５２が操作された場合及び前記読取指示を受信した場合にそれぞれ前記コード読取部５３による前記コードの読取処理を開始する。具体的に、前記読取処理部５１１は、前記読取操作部５２が操作された場合に、前記コード読取部５３の前記光源の発光を開始させる。また、前記読取処理部５１１は、前記読取信号を受信した場合に、前記コード読取部５３の前記光源の発光を開始させる。これにより、前記読取操作部５２が操作されていない場合又は前記読取指示を受信していない場合は、前記光源を消灯させることができるため省電力化が図られる。
【００４８】
［操作制御処理］
続いて、図５を参照しつつ、前記情報端末４の前記制御部４１によって実行される操作制御処理の手順の一例について説明する。なお、前記操作制御処理は、前記情報端末４が前記コード読取端末４に装着された状態であって、前記表示部４３による表示が行われている場合のように前記情報端末４における前記タッチパネル４４の受け付けが可能な状態において前記制御部４１によって実行される。
【００４９】
＜ステップＳ１１＞
ステップＳ１１において、前記制御部４１は、前記タッチパネル４４のタッチ操作を待ち受け（Ｓ１１：Ｎｏ）、前記タッチパネル４４のタッチ操作が行われると（Ｓ１１：Ｙｅｓ）、処理をステップＳ１２に移行させる。
【００５０】
＜ステップＳ１２＞
ステップＳ１２において、前記制御部４１は、前記タッチパネル４４のタッチ操作の位置座標に応じて操作内容を判定する。具体的に、前記制御部４１は、前記位置座標と前記操作対応情報とに基づいて前記操作内容を判定する。前述したように、前記操作対応情報では、前記コード読取端末５による前記コードの読み取りを開始させる前記読取指示に対応する前記読取指示領域の範囲を示す位置座標が、前記表示部４３に表示されている前記表示画面ごとに定められている。
【００５１】
＜ステップＳ１３＞
ステップＳ１３において、前記制御部４１は、前記ステップＳ１２で判定された前記操作内容が、前記コード読取端末５による前記コードの読み取りを開始させる前記読取指示であるか否かを判断して処理を分岐する。ここで、前記操作内容が前記読取指示である場合には（Ｓ１３：Ｙｅｓ）、処理がステップＳ１４に移行し、前記操作内容が前記読取指示でない場合（Ｓ１３：Ｎｏ）、処理がステップＳ１３１に移行する。
【００５２】
＜ステップＳ１３１＞
ステップＳ１３１において、前記制御部４１は、前記ステップＳ１２で判定された前記操作内容に対応する処理を実行する。例えば、前記操作内容が文字入力操作である場合、前記制御部４１は、前記文字操作入力に応じて文字の入力を受け付ける。前記操作内容が前記表示部４３における画面遷移を伴う操作である場合、前記制御部４１は、前記表示部４３の表示画面を前記操作内容に応じて遷移させる。
【００５３】
＜ステップＳ１４＞
ステップＳ１４において、前記制御部４１は、前記コネクタ４７及び前記コネクタ５５を介して前記コード読取端末５に前記読取指示を送信する。即ち、前記制御部４１は、前記情報端末４が前記コード読取端末５に装着された状態で前記読取指示を前記コード読取端末５に送信する。ここに、係る処理は前記制御部４１の前記送信処理部４１１によって実行される。これにより、前記コード読取端末５では、前記読取指示の受信に応じて前記コード読取部５３による前記コードの読取処理が実行される。
【００５４】
［読取制御処理］
次に、図６を参照しつつ、前記コード読取端末５の前記制御部５１によって実行される読取制御処理の手順の一例について説明する。
【００５５】
＜ステップＳ２１＞
ステップＳ２１において、前記制御部５１は、前記読取操作部５２が操作されたか否かを判断し、前記読取操作部５２が操作されたと判断した場合（Ｓ２１：Ｙｅｓ）、処理をステップＳ２３に移行させる。また、前記制御部５１は、前記読取操作部５２が操作されていなければ（Ｓ２１：Ｎｏ）、処理をステップＳ２２に移行させる。
【００５６】
＜ステップＳ２２＞
ステップＳ２２において、前記制御部５１は、前記情報端末４から前記読取指示を受信したか否かを判断し、前記読取指示を受信したと判断した場合（Ｓ２２：Ｙｅｓ）、処理をステップＳ２３に移行させる。また、前記制御部５１は、前記読取指示を受信していなければ（Ｓ２２：Ｎｏ）、処理を前記ステップＳ２１に戻す。
【００５７】
＜ステップＳ２３＞
ステップＳ２３において、前記制御部５１は、前記コード読取部５３を用いて前記コードの読取処理を実行する。前記読取処理では、前記コード読取部５３の前記光源を発光させると共に、前記受光部で受光される反射光に基づいて前記コードを読み取る。そして、前記制御部５１は、前記コードの情報を前記情報端末４に送信する。その後、前記制御部５１は、処理を前記ステップＳ２１に戻す。なお、前記制御部５１は、前記読取処理において、予め設定された所定時間が経過しても前記コードが読み取られない場合にも、処理を前記ステップＳ２１に戻す。
【００５８】
以上説明したように、前記コード読取システム３では、ユーザーが、前記読取操作部５２だけでなく、前記タッチパネル４４を操作することによっても、前記コード読取端末５による前記読取処理を開始させることができ、読取操作の操作性が高い。例えば、ユーザーが前記情報端末４の前記タッチパネル４４の操作を行っている途中で前記読取操作部５２を操作する必要が生じた際でも、ユーザーは前記タッチパネル４４の操作を一旦止めることなく、そのまま前記タッチパネル４４の操作によって前記コード読取端末５に前記読取処理を実行させることができる。また、ユーザーが片手で前記コード読取端末５を持って前記情報端末４の前記タッチパネル４４の操作を行っている途中であっても、前記コード読取端末５の持ち方を変えるなどの手間を要しない。特に、前記コード読取システム３では、前記コード読取端末５を操作するユーザーから見て前記タッチパネル４４の正面側と右側面側及び左側面側とを含む複数の方向から操作することができるため高い操作性が実現される。
【００５９】
そして、前記コード読取システム３では、前記情報端末４により、前記コード読取端末５を用いて読み取られる前記コードの情報を用いて各種の情報処理が実行される。具体的に、前記コード読取システム３では、薬剤師等が前記処方データに基づいて調剤を行う調剤業務などを支援するための調剤支援処理が実行される。
【００６０】
［調剤支援処理］
ここで、図７を参照しつつ、前記情報端末４の前記制御部４１によって実行される前記調剤支援処理の手順の一例について説明する。なお、前記調剤支援処理は、前記情報端末４において、前記調剤支援処理を実行するためのアプリケーションの起動操作が行われた場合に前記制御部４１によって実行され、前記操作制御処理（図５参照）と並行して実行される。
【００６１】
＜ステップＳ３１＞
ステップＳ３１において、前記制御部４１は、前記表示部４３に予め定められたログイン画面Ｄ１１を表示させる。ここに、図８（Ａ）は、前記ログイン画面Ｄ１１の一例を示す図である。図８（Ａ）に示されている前記ログイン画面Ｄ１１では、表示画面のタイトルが表示される領域Ａ７１と、現在年月日又は次の作業内容などが表示される領域Ａ７２と、ユーザーを識別するためのユーザーＩＤ及びパスワードが入力される領域Ａ７３と、文字及び画像が表示されていない余白領域Ａ７４と、文字入力を行うためのソフトウェアキーボードが表示される領域Ａ７５とが表示されている。前記領域Ａ７２は、前記ログイン画面Ｄ１１のうち前記読取指示を示唆しない他の文字である年月日又は次の作業内容を示すメッセージが表示され、前記読取指示を示唆する文字が表示されていない前記他表示領域の一例である。なお、本実施形態では、図８（Ａ）に示されているように、「調剤者ＩＤをスキャンして下さい。」のようなメッセージは、前記コード読取装置５に前記読取指示を送信させるための操作領域であることをユーザーに示唆するものではなく、ユーザーに次に行うべき作業内容を通知するものであると考えるものとする。また、前記領域Ａ７３及び前記領域Ａ７５は、前記読取指示とは異なる操作機能が割り当てられた他機能割当領域の一例である。
【００６２】
ここで、前記ログイン画面Ｄ１１に対応する前記操作対応情報では、前記領域Ａ７２及び前記余白領域Ａ７４が前記読取指示領域として定められている。これにより、前記操作制御処理（図５参照）及び前記読取制御処理（図６参照）では、前記領域Ａ７２又は前記余白領域Ａ７４が操作された場合に（Ｓ１３：Ｙｅｓ）、前記読取指示が前記コード読取端末５に送信され、前記コード読取端末５による前記読取処理（Ｓ２３）が実行されることになる。
【００６３】
＜ステップＳ３２＞
ステップＳ３２において、前記制御部４１は、ユーザーのログインを待ち受け（Ｓ３２：Ｎｏ）、前記ログインが行われると（Ｓ３２：Ｙｅｓ）、処理をステップＳ３３に移行させる。具体的に、前記制御部４１は、前記ログイン画面Ｄ１１における前記領域Ａ７３のユーザーＩＤ及びパスワードが前記領域Ａ７５のソフトウェアキーボードを用いて入力され、そのユーザーＩＤ及びパスワードが予め登録されたユーザー情報と一致した場合に、前記ログインが行われたと判断する。
【００６４】
また、前記制御部４１は、前記コード読取端末５を用いて、ユーザーが有するＩＤカードなどに記載された前記コードから、前記ユーザー情報に登録されている前記ユーザーＩＤが読み取られた場合にも、前記ユーザーＩＤに対応するユーザーのログインが行われたと判断する（Ｓ３２：Ｙｅｓ）。係る処理は、前記制御部４１の前記情報処理部４１２によって実行される。即ち、前記情報処理部４１２は、前記コード読取端末５で読み取られる前記コードに基づいてユーザーを認証するための情報処理（ログイン処理）を実行する。
【００６５】
＜ステップＳ３３＞
ステップＳ３３において、前記制御部４１は、前記表示部４３に予め定められた業務選択画面Ｄ１２を表示させる。ここに、図８（Ｂ）は、前記業務選択画面Ｄ１２の一例を示す図である。図８（Ｂ）に示されている前記業務選択画面Ｄ１２では、ピッキング業務、充填業務、及び払出記録業務などの各種の業務種別を選択するための領域Ａ７６と、前記業務選択画面Ｄ１２において文字及び画像が表示されていない余白領域Ａ７７と、現在のログインユーザーの氏名などの識別情報が表示される領域Ａ７８とが表示されている。ここで、前記業務選択画面に対応する前記操作対応情報では、前記余白領域Ａ７７が前記読取指示領域として定められている。前記余白領域Ａ７７には、前記業務選択画面Ｄ１２における左右の内周縁部の領域が含まれる。なお、前記余白領域Ａ７７として、前記業務選択画面Ｄ１２における上下左右の一又は複数の内周縁部の領域が含まれることも他の実施形態として考えられる。これにより、前記業務選択画面Ｄ１２における表示内容に影響の小さい領域を前記読取操作領域として有効利用することができる。
【００６６】
ところで、前記領域Ａ７８が操作されると、前記制御部４１は、ユーザーを切り替えるためのログイン切替処理などを実行する。即ち、前記領域Ａ７８は、前記読取指示とは異なる操作機能が割り当てられた他機能割当領域の一例である。また、前記制御部４１は、前記業務選択画面Ｄ１２の表示中に他のユーザーの前記ユーザーＩＤを示す前記コードが前記コード読取端末５によって読み取られた場合には、前記ユーザーＩＤに対応するユーザーのログインが行われたと判断してユーザーを切り替えるログイン切替処理を実行する。なお、前記ログイン切替処理も前記情報処理部４１２によって実行される情報処理の一例である。
【００６７】
＜ステップＳ３４〜Ｓ３６＞
ステップＳ３４〜Ｓ３６において、前記制御部４１は、前記業務選択画面Ｄ１２における前記領域７６における前記業務種別の選択操作を待ち受け（Ｓ３４〜Ｓ３６：Ｎｏ）、前記業務種別の選択操作が行われると、その選択された前記業務種別に対応する処理を実行する。
【００６８】
具体的に、前記制御部４１は、前記業務選択画面Ｄ１２においてピッキング業務を選択するための操作が行われると（Ｓ３４：Ｙｅｓ）、処理をステップＳ３４１に移行させる。また、前記制御部４１は、前記業務選択画面Ｄ１２において充填業務を選択するための操作が行われると（Ｓ３５：Ｙｅｓ）、処理をステップＳ３５１に移行させる。さらに、前記制御部４１は、前記業務選択画面Ｄ１２において払出記録業務を選択するための操作が行われると（Ｓ３６：Ｙｅｓ）、処理をステップＳ３６１に移行させる。
【００６９】
＜ステップＳ３４１＞
ステップＳ３４１において、前記制御部４１は、前記表示部４３に予め定められた処方入力画面Ｄ２１を表示させる。ここに、図９（Ａ）は、前記処方入力画面Ｄ２１の一例を示す図である。図９（Ａ）に示されているように、前記処方入力画面Ｄ２１には、前記処方入力画面Ｄ２１において文字及び画像が表示されていない余白領域Ａ８１と、前記処方データに対応する処方箋又は集計表などの番号が入力される領域Ａ８２と、前記処方箋又は前記集計表のコードの読み取りを促すメッセージが表示される領域Ａ８３とが表示されている。ここで、前記処方入力画面Ｄ２１に対応する前記操作対応情報では、前記余白領域Ａ８１及び前記領域Ａ８３が前記読取指示領域として定められている。前記領域Ａ８３は、前記読取指示を示唆しない他の文字が表示される前記他表示領域の一例である。また、前記領域Ａ８２は、前記読取指示とは異なる操作機能が割り当てられた他機能割当領域の一例である。
【００７０】
＜ステップＳ３４２＞
ステップＳ３４２において、前記制御部４１は、予め定められたピッキング業務を支援するためのピッキング業務制御処理を実行する。具体的に、前記制御部４１は、前記コード読取端末５を用いて前記薬品棚、前記薬品箱又は前記薬瓶などから読み取られる前記コードが示す前記薬品識別情報と前記処方データとを照合する照合処理を実行する。なお、前記照合処理の結果が一致である場合、前記制御部４１は、前記処方データに含まれる前記薬品識別情報に対応する処方薬の調剤が完了した旨を前記記憶部４２に記録し、結果が不一致である場合にはエラーを報知する。ここに、前記照合処理は前記情報処理部４１２によって実行される情報処理の一例である。
【００７１】
具体的に、前記制御部４１は、前記処方入力画面Ｄ２１（図９（Ａ）参照）において前記領域Ａ８２に前記処方箋又は前記集計表の番号が入力された場合に、前記番号に対応する前記処方データを前記記憶部４２から読み出す。また、前記制御部４１は、前記処方入力画面Ｄ２１（図９（Ａ）参照）の表示中に前記コード読取端末５により前記処方箋又は前記集計表の番号を示す前記コードが読み取られた場合にも、前記番号に対応する前記処方データを前記記憶部４２から読み出す。そして、前記制御部４１は、前記処方データの内容が表示される処方薬一覧画面Ｄ２２を表示させる。ここに、図９（Ｂ）は、前記処方薬一覧画面Ｄ２２の一例を示す図である。
【００７２】
図９（Ｂ）に示されているように、前記処方薬一覧画面Ｄ２２には、前記処方データに対応する患者の氏名などの識別情報及び前記処方データについての調剤業務の進捗状況などが表示される領域Ａ８４と、前記処方データに含まれる処方薬の一覧が表示される領域Ａ８５と、前記薬品識別情報を示す前記コードの読み取りを促すメッセージが表示される領域Ａ８６とが表示されている。ここで、前記処方薬一覧画面に対応する前記操作対応情報では、前記領域Ａ８４〜前記領域Ａ８６が前記読取指示領域として定められている。なお、前記領域Ａ８４〜前記領域Ａ８６は、前記読取指示を示唆しない他の文字が表示される前記他表示領域の一例である。
【００７３】
そして、前記処方薬一覧画面Ｄ２２の表示中に前記コード読取端末５により前記薬品識別情報を示す前記コードが読み取られると、前記制御部４１は、前記処方データのうち前記薬品識別情報に対応する前記処方薬のデータが表示される薬品詳細画面Ｄ２３を前記表示部４３に表示させる。ここに、図９（Ｃ）は、前記薬品詳細画面Ｄ２３の一例を示す図である。
【００７４】
図９（Ｃ）に示されているように、前記薬品詳細画面Ｄ２３には、前記処方データに対応する患者の氏名などの識別情報、及び前記コード読取端末５で読み取られた前記薬品識別情報に対応する薬品名称などが表示される領域Ａ８７と、前記処方データにおける前記処方薬の用量が表示される領域Ａ８８と、前記処方データにおける前記処方薬の用法が表示される領域Ａ８９とが表示されている。ここで、前記薬品詳細画面Ｄ２３に対応する前記操作対応情報では、前記領域Ａ８７及び前記領域Ａ８９が前記読取指示領域として定められている。なお、前記領域Ａ８７及び前記領域Ａ８９は、前記読取指示を示唆しない他の文字が表示される前記他表示領域の一例である。
【００７５】
なお、前記制御部４１は、前記コード読取端末５により前記処方データに含まれる前記処方薬各々の薬品識別情報を示す前記コードが読み取られると、予め定められた完了画面Ｄ２４を前記表示部４３に表示させる。例えば、ユーザーは、各種の薬品が収容されている薬品棚のうち前記処方薬に該当する薬品ケースを順に引き出し、前記領域Ａ８７又は前記領域Ａ８９を操作することにより、前記薬品ケースの側面に貼付されている前記コードを前記コード読取システム３に順に読み取らせる。ここに、図９（Ｄ）は、前記完了画面Ｄ２４の一例を示す図である。
【００７６】
図９（Ｄ）に示されているように、前記完了画面Ｄ２４には、前記処方データにおける前記処方薬の調剤が完了した旨のメッセージが表示される領域Ａ９０が表示されている。ここで、前記完了画面Ｄ２４に対応する前記操作対応情報では、前記領域Ａ９０が前記読取指示領域として定められている。例えば、ユーザーは、前記完了画面Ｄ２４（図９（Ｄ）参照）の表示中に前記領域Ａ９０を操作して、前記コード読取端末５により前記処方箋又は前記集計表の番号を示す前記コードを前記コード読取システム３に読み取らせる。これにより、前記制御部４１は、前記番号に対応する前記処方データを前記記憶部４２から読み出し、前記処方データの内容が表示される前記処方薬一覧画面Ｄ２２を表示させる。これにより、前記処方箋又は前記集計表についての前記ピッキング作業が繰り返し実行される。なお、前記領域Ａ９０は、前記読取指示を示唆しない他の文字が表示される前記他表示領域の一例である。
【００７７】
＜ステップＳ３５１＞
また、ステップＳ３５１において、前記制御部４１は、前記表示部４３に予め定められた充填開始画面Ｄ３１を表示させる。ここに、図１０（Ａ）は、前記充填開始画面Ｄ３１の一例を示す図である。図１０（Ａ）に示されているように、前記充填開始画面Ｄ３１には、充填する薬品の情報を表示するための領域Ａ９１が表示されている。ここで、前記充填開始画面Ｄ３１に対応する前記操作対応情報では、前記領域Ａ９１が前記読取指示領域として定められている。なお、前記領域Ａ９１は、前記読取指示を示唆しない他の文字が表示される前記他表示領域の一例である。
【００７８】
＜ステップＳ３５２＞
ステップＳ３５２において、前記制御部４１は、予め定められた充填業務を支援するための充填業務制御処理を実行する。具体的に、前記制御部４１は、前記コード読取端末５を用いて読み取られる前記コードが示す前記薬品識別情報に対応する薬品を充填（補充）したことを反映するための充填処理を実行する。前記充填処理も前記情報処理部４１２によって実行される情報処理の一例である。
【００７９】
具体的に、前記制御部４１は、前記充填開始画面Ｄ３１（図１０（Ａ）参照）の表示中に前記コード読取端末５により前記薬品識別情報を示す前記コードが読み取られた場合に、前記薬品識別情報に基づいて薬品名、有効期限、及びロット番号などが表示される薬品読込画面Ｄ３２を表示させる。ここに、図１０（Ｂ）は、前記薬品読込画面Ｄ３２の一例を示す図である。図１０（Ｂ）に示されているように、前記薬品読込画面Ｄ３２にも前記領域Ａ９１が表示されており、前記薬品読込画面Ｄ３２に対応する前記操作対応情報でも、前記領域Ａ９１が前記読取指示領域として定められている。
【００８０】
そして、前記薬品読込画面Ｄ３２（図１０（Ｂ）参照）の表示中に前記コード読取端末５により前記薬品識別情報を示す前記コードが読み取られると、前記制御部４１は、前記充填開始画面Ｄ３１の表示中に読み取られた前記薬品識別情報と前記薬品読込画面Ｄ３２の表示中に読み取られた前記薬品識別情報とを照合する照合処理が実行される。例えば、ユーザーは、前記充填開始画面Ｄ３１の表示中に薬品の元箱に記載されている前記コードと前記充填読込画面Ｄ３２の表示中に前記薬品の充填先となる前記薬品棚の薬品ケースに貼付されている前記コードとを前記コード読取システム３に読み取らせる。これにより、前記照合処理では、前記薬品の充填時のチェックが行われる。ここで、前記制御部４１は、前記照合処理の結果が一致である場合に、前記表示部４３に予め定められた照合完了画面Ｄ３３を表示させ、前記照合処理の結果が不一致である場合には予め定められたエラー画面を表示させる。ここに、図１０（Ｃ）は、前記照合結果画面Ｄ３３の一例を示す図である。
【００８１】
図１０（Ｃ）に示されているように、前記照合結果画面Ｄ３３には、充填する薬品の情報が表示される領域Ａ９２と、充填する薬品の数量を入力するための領域Ａ９３と、前記照合処理の結果を示す文字が表示される領域Ａ９４とが表示されている。ここで、前記照合結果画面Ｄ３３に対応する前記操作対応情報では、前記領域Ａ９２及び前記領域Ａ９４が前記読取指示領域として定められている。例えば、ユーザーは、前記領域Ａ９２又は前記領域Ａ９４を操作することにより次に充填する薬品に対応する前記コードを前記コード読取システム３に順に読み取らせる。これにより、前記制御部４１は、前記コードに対応する前記薬品について前記照合処理を開始させるべく前記薬品読込画面Ｄ３２を表示させる。なお、前記領域Ａ９２及び前記領域Ａ９４は、前記読取指示を示唆しない他の文字が表示される前記他表示領域の一例である。前記領域Ａ９３は、前記読取指示とは異なる操作機能が割り当てられた他機能割当領域の一例である。
【００８２】
＜ステップＳ３６１＞
また、ステップＳ３６１において、前記制御部４１は、前記表示部４３に予め定められた払出業務開始画面Ｄ４１を表示させる。ここに、図１１（Ａ）は、前記払出業務開始画面Ｄ４１の一例を示す図である。図１１（Ａ）に示されているように、前記払出業務開始画面Ｄ４１は、払い出す薬品の用量（払出量）を入力する機能の有無などの情報が表示される領域Ａ１０１と、払い出す薬品の薬品名などの情報を表示するために確保された領域Ａ１０２と、前記薬品識別情報を示す前記コードの読み取りを促すためのメッセージが表示される領域Ａ１０３とが表示されている。ここで、前記払出業務開始画面Ｄ４１に対応する前記操作対応情報では、前記領域Ａ１０１及び前記領域Ａ１０３が前記読取指示領域として定められている。なお、前記領域Ａ１０１及び前記領域Ａ１０３は、前記読取指示を示唆しない他の文字が表示される前記他表示領域の一例である。また、前記領域Ａ１０２は、前記読取指示とは異なる操作機能が割り当てられた他機能割当領域の一例である。
【００８３】
＜ステップＳ３６２＞
ステップＳ３６２において、前記制御部４１は、予め定められた払出記録業務を支援するための払出記録制御処理を実行する。具体的に、前記制御部４１は、前記コード読取端末５を用いて読み取られる前記コードが示す前記薬品識別情報に対応する薬品の払い出しを記録するための記録処理を実行する。前記記録処理も前記情報処理部４１２によって実行される情報処理の一例である。
【００８４】
具体的に、前記制御部４１は、前記払出業務開始画面Ｄ４１（図１１（Ａ）参照）の表示中に前記コード読取端末５により前記薬品識別情報を示す前記コードが読み取られた場合に、前記薬品読込薬品識別情報に基づいて薬品名などが表示される薬品読込画面Ｄ４２を表示させる。ここに、図１１（Ｂ）及び図１１（Ｃ）は、前記薬品読込画面Ｄ４２の一例を示す図である。
【００８５】
図１１（Ｂ）に示されている前記薬品読込画面Ｄ４２には、払い出す薬品の薬品名が表示される領域Ａ１０４と、その薬品の用量（払出量）が入力される領域Ａ１０５と、その薬品の用量（払出量）の入力を促すメッセージが表示される領域Ａ１０６とが表示されている。ここで、前記薬品読込画面Ｄ４２に対応する前記操作対応情報では、前記領域Ａ１０４及び前記領域Ａ１０６が前記読取指示領域として定められている。なお、前記領域Ａ１０４及び前記領域Ａ１０６は、前記読取指示を示唆しない他の文字が表示される前記他表示領域の一例である。また、前記領域Ａ１０５は、前記読取指示とは異なる操作機能が割り当てられた他機能割当領域の一例である。
【００８６】
また、図１１（Ｃ）に示されている前記薬品読込画面Ｄ４３には、払い出す薬品の薬品名が表示される領域Ａ１０４と、次の薬品の前記薬品識別情報の前記コードの読み取りを促すメッセージが表示される領域Ａ１０７とが表示されている。ここで、前記薬品読込画面Ｄ４３に対応する前記操作対応情報では、前記領域Ａ１０４及び前記領域Ａ１０７が前記読取指示領域として定められている。なお、前記領域Ａ１０４及び前記領域Ａ１０７は、前記読取指示を示唆しない他の文字が表示される前記他表示領域の一例である。また、前記領域Ａ１０５は、前記薬品読込画面Ｄ４２と共通の操作機能の割り当てを実現するために、前記読取指示とは異なる操作機能が割り当てられた他機能割当領域として確保されている。
【００８７】
以上説明したように、前記コード読取システム３では、本来は前記タッチパネル４４の操作キーとして使用されない領域が前記読取指示を行うために使用される。そのため、前記表示部４３における他の表示内容の表示サイズを圧迫することがない。例えば、前記表示部４３における他の表示内容の表示サイズを圧迫することなく、前記読取指示を行うための前記読取指示領域を極力広く確保することが可能である。また、前記表示部４３に表示される前記表示画面の種類ごとに前記読取指示領域を変化させることができるため、前記表示画面各々において予め定められた位置に前記読取指示領域が配置される場合に比べて前記表示画面各々の画面構成の自由度が高まる。例えば、前記表示画面各々における余白領域、及び本来は文字による情報が表示されるだけの他表示領域などを前記読取指示領域として使用されることにより、前記余白領域及び前記他表示領域を有効利用することができる。
【符号の説明】
【００８８】
３  コード読取システム
４  情報端末
４１  制御部
４１１  送信処理部
４１２  情報処理部
４３  表示部
４４  タッチパネル
５  コード読取装置
５１  制御部
５１１  読取処理部
５２  読取操作部
５３  コード読取部
【図１】
0006511784.tif 000002
【図２】
0006511784.tif 000003
【図３】
0006511784.tif 000004
【図４】
0006511784.tif 000005
【図５】
0006511784.tif 000006
【図６】
0006511784.tif 000007
【図７】
0006511784.tif 000008
【図８】
0006511784.tif 000009
【図９】
0006511784.tif 000010
【図１０】
0006511784.tif 000011
【図１１】
0006511784.tif 000012